(57)【要約】【課題】視聴率の調査や課金を正確に行い得るようにする。【解決手段】チューナ２０３より選局された放送信号に係るビットストリーム信号を出力して分離部２０６に供給する。分離部２０６ではビットストリーム信号より所定スロットのパケットを分離すると共に、そのパケットよりパケットデータ及びパケットヘッダを分離する。分離部２０６で分離された所定スロットのパケットを構成するパケットデータを復号部２０７に順次供給して復号化処理をし、映像信号ＳＶ及び音声信号ＳＡを得る。分離部２０６で分離された所定スロットのパケットを構成するパケットヘッダに含まれる情報のうち番組識別情報をメモリ２１１に一時的に記憶する。放送局や視聴率調査会社よりモデム２１２を介して番組識別情報が要求されるとき、メモリ２１１に記憶されている番組識別情報をモデム２１２を介して放送局や視聴率調査会社に送信する。【選択図】        図３
2006148960.tif 000002
【特許請求の範囲】
【請求項１】
番組信号が符号化された符号化情報に上記番組信号に対する付加情報が付加されている特定の放送信号を選局する選局手段と、
上記選局手段により選局された上記特定の放送信号から上記符号化情報及び上記付加情報を分離する信号分離手段と、
上記符号化情報を復号し上記番組信号を出力する復号手段と、
上記付加情報から検出される上記番組信号の識別情報である番組識別情報を記憶するメモリ手段と、
外部からの要求に応じて、上記メモリ手段に記憶される上記番組識別情報を送信する通信手段と
を備えることを特徴とする受信装置。
【請求項２】
上記メモリ手段は、上記付加情報から検出される上記番組信号の一部を加工するための加工範囲情報をさらに記憶し、
上記メモリ手段に記憶された上記加工範囲情報に基づいて上記復号手段から出力される番組信号の一部を加工すると共にモニタに出力する信号加工手段をさら備える
ことを特徴とする請求項１に記載の受信装置。
【請求項３】
上記信号加工手段による加工度を示す加工レベルを設定する入力手段を備え、
上記信号加工手段は、上記入力手段により設定された上記加工レベルに応じて上記番組信号に対する加工度を制御する
ことを特徴とする請求項２に記載の受信装置。
【請求項４】
上記メモリ手段は、上記加工レベルを記憶し、
上記通信手段は、外部からの要求に応じて、上記メモリ手段に記憶されている上記番組識別情報及び上記加工レベルを送信する。
ことを特徴とする請求項３に記載の受信装置。
【請求項５】
上記信号加工手段は、上記番組信号の上記加工範囲情報に基づく領域及び時間範囲に、上記入力手段により設定される上記加工レベルとしてのモザイクの細かさでモザイク処理を施す
ことを特徴とする請求項３に記載の受信装置。
【請求項６】
上記信号分離手段は、複数スロットのパケットが多重化された上記特定の放送信号から所望のスロットのパケットデータを上記復号手段に供給すると共に、当該パケットのパケットヘッダを上記メモリ手段に供給し、
上記復号手段は、上記信号分離手段から供給された複数のパケットデータから上記番組信号を復号し、
上記メモリ手段は、上記パケットヘッダから検出される上記番組識別情報を記憶する
ことを特徴とする請求項１に記載の受信装置。
【発明の詳細な説明】
【技術分野】
【０００１】
この発明は、ＩＳＤＢ（Integrated Services Digital Broadcasting）システム等に適用して好適な受信装置に関する。詳しくは、受信された放送信号から分離された番組識別情報を格納するメモリ手段と、このメモリ手段に格納された番組識別情報を外部からの要求に応じて送信する送信手段とを備える構成とすることによって、視聴率の調査や課金を正確に行い得るようにした受信装置に係るものである。
【背景技術】
【０００２】
従来、放送局等から送出されるテレビ番組等の視聴率は、ある特定の視聴率調査会社がサンプリングを行って調査している。また、従来の放送では、放送局がテレビ番組等の放送ソースを不特定多数の視聴者に対して一方的に伝送するものであり、視聴者側では同じ放送ソースを視聴することになる。
【発明の開示】
【発明が解決しようとする課題】
【０００３】
放送局等から送出されるテレビ番組等の視聴率は、上述したようにある特定の視聴率調査会社がサンプリングを行って調査しているため、サンプリングの数によっては正確とは言えないし、録画等の場合は視聴率に現れないという問題点がある。また、実際に視聴者が視聴したかどうかをチェックができないため、細かい課金のシステムを構築することが困難であった。さらに、上述したように放送局がテレビ番組等の放送ソースを不特定多数の視聴者に対して一方的に伝送するものであり、視聴者の意向を反映した放送は困難であった。
【０００４】
この発明の目的は、視聴率の調査や課金を正確に行い得るようにした受信装置を提供することにある。
【課題を解決するための手段】
【０００５】
この発明の概念は、
番組信号が符号化された符号化情報に上記番組信号に対する付加情報が付加されている特定の放送信号を選局する選局手段と、
上記選局手段により選局された上記特定の放送信号から上記符号化情報及び上記付加情報を分離する信号分離手段と、
上記符号化情報を復号し上記番組信号を出力する復号手段と、
上記付加情報から検出される上記番組信号の識別情報である番組識別情報を記憶するメモリ手段と、
外部からの要求に応じて、上記メモリ手段に記憶される上記番組識別情報を送信する通信手段と
を備えることを特徴とする受信装置にある。
【０００６】
この発明においては、受信された放送信号より分離された番組識別情報はメモリ手段に格納される。すなわち、メモリ手段には視聴者が実際に視聴した番組を特定するための情報が格納される。このようにメモリ手段に格納された番組識別情報は、外部、例えば放送局や視聴率調査会社等からの要求に応じて、当該外部に送信される。これにより、視聴率の調査や課金を正確に行い得るようになる。
【０００７】
例えば、メモリ手段には付加情報から検出される番組信号の一部を加工するための加工範囲情報がさらに記憶され、この加工範囲情報に基づいて復号手段から出力される番組信号の一部を加工すると共にモニタに出力する信号加工手段をさらに備えるようにしてもよい。これにより、視聴者によって信号加工手段における加工レベルが設定されることで、信号加工手段では受信された番組信号が視聴者の意向を反映して加工され、視聴者の意向を反映させた放送が可能となる。
【発明の効果】
【０００８】
この発明によれば、受信された放送信号から分離された番組識別情報を格納するメモリ手段と、このメモリ手段に格納された番組識別情報を外部からの要求に応じて送信する送信手段とを備えるものであり、視聴率の調査や課金を正確に行うことができる。
【発明を実施するための最良の形態】
【０００９】
以下、図面を参照しながら、この発明の実施の形態を説明する。図１は送信装置１００を示している。図１に示す送信装置１００は、符号器１０１-1〜１０１-nと、ヘッダ情報発生部１０２と、コンピュータからなり、システム全体を制御するための制御部１０３と、パケットエンコーダ１０４-1〜１０４-nとを有している。
【００１０】
符号器１０１-1〜１０１-nは、それぞれテレビジョン信号としての映像信号及び音声信号に対して圧縮等を含めた適切な符号化処理を行うためのものである。符号器１０１-1〜１０１-nの動作はそれぞれ制御部１０３によって制御される。パケットエンコーダ１０４-1〜１０４-nは、それぞれ一定の大きさの統一したパケットを得るためのものである。パケットエンコーダ１０４-1〜１０４-nには、それぞれ符号器１０１-1〜１０１-nの出力データが供給されてパケット化処理が行われる。
【００１１】
図２は、１個のパケットを示している。パケットは、パケットデータとその先頭に付加されたパケットヘッダで構成される。パケットヘッダはパケットデータを識別するためのものであって、放送局識別情報（放送局ＩＤ）、番組識別情報（番組ＩＤ）、放送時間情報、タイムコード等の情報を含んでいる。本形態において、このパケットヘッダには、さらに番組がアダルトビデオ等でモザイク化処理の対象部分が含まれるときはモザイク化処理を施すべき領域範囲や時間範囲の加工範囲情報が含まれる。パケットヘッダの情報は、制御部１０３の制御によって、ヘッダ情報発生部１０２で発生される。
【００１２】
また、図１に示す送信装置１００は、多重化部１０５と、ディジタル変調回路１０６と、アップコンバータ１０７と、送信アンテナ１０８とを有している。多重化部１０５は、複数スロットのパケットを多重化するためのものである。多重化部１０５には、パケットエンコーダ１０４-1〜１０４-nよりそれぞれ出力されるパケットが複数スロットのパケットとして順次並列的に供給され、これらのパケットが多重化されてビットストリーム信号が形成される。ディジタル変調回路１０６は、ディジタルデータを送信手段（本形態では放送衛星）に適した変調方式でもって変調処理するためのものである。ディジタル変調回路１０６には多重化部１０５より出力されるビットストリーム信号が供給される。
【００１３】
以上の構成において、符号器１０１-1〜１０１-nで符号化処理されたテレビジョン信号（映像信号及び音声信号）はそれぞれパケットエンコーダ１０４-1〜１０４-nに供給されてパケット化処理される。この場合、制御部１０３の制御でもってヘッダ情報発生部１０２よりヘッダ情報が発生され、パケットエンコーダ１０４-1〜１０４-nでパケット化処理されるに際して、それぞれのパケットデータの先頭に番組識別情報等を含むパケットヘッダが付加される（図２参照）。
【００１４】
また、パケットエンコーダ１０４-1〜１０４-nより出力されるパケットは多重化部１０５に複数スロットのパケットとして順次並列的に供給されて多重化され、ビットストリーム信号が形成される。このビットストリーム信号はディジタル変調回路１０６で変調処理された後にアップコンバータ１０７で例えば１４ＧＨｚ帯の信号とされて送信アンテナ１０８より放送衛星（図示せず）に向けて送信される。
【００１５】
また、図３は受信装置２００を示している。図３に示す受信装置２００は、放送衛星より送信されてくる１２ＧＨｚ帯の放送信号を受信するための受信アンテナ２０１と、１２ＧＨｚ帯の信号を１ＧＨｚ帯の信号に変換するためのダウンコンバータ２０２と、所望の放送信号を受信するための選局処理を行うチューナ２０３と、マイクロコンピュータ（マイコン）を有して構成され、システム全体を制御するための制御部２０４とを有している。
【００１６】
ダウンコンバータ２０２には受信アンテナ２０１で受信された１２ＧＨｚ帯の放送信号が供給されてダウンコンバート処理される。チューナ２０３の選局動作は制御部２０４によって制御される。制御部２０４にはキー操作部２０５が接続されており、視聴者（ユーザ）はこのキー操作部２０５でもって選局操作を行うことができる。チューナ２０３からは選局された放送信号に係るビットストリーム信号（複数スロットのパケットの多重化信号）が出力される。
【００１７】
また、図３に示す受信装置２００は、分離部２０６と、復号部２０７と、陰極線管等で構成されるモニタディスプレイ２０８と、アンプ２０９と、スピーカ２１０と、メモリ２１１とを有している。分離部２０６にはチューナ２０３より出力されるビットストリーム信号が供給される。分離部２０６では、ビットストリーム信号より所定スロットのパケットを分離すると共に、そのパケットよりパケットデータ及びパケットヘッダを分離する処理が行われる。この分離部２０６における所定スロットの選択は、ユーザのキー操作部２０５の操作に基づき、制御部２０４の制御によって行われる。
【００１８】
復号部２０７には、分離部２０６で分離される所定スロットのパケットを構成するパケットデータが供給される。復号部２０７では、連続するパケットデータに対して復号化処理が行われて、映像信号ＳＶ及び音声信号ＳＡが得られる。モニタディスプレイ２０８には復号部２０７より出力される映像信号ＳＶが供給される。また、スピーカ２１０には復号部２０７より出力される音声信号ＳＡがアンプ２０９を介して供給される。
【００１９】
メモリ２１１には、分離部２０６で分離される所定スロットのパケットを構成するパケットヘッダに含まれる情報（ヘッダ情報）のうち番組識別情報が抜き出されて記憶される。そして、ある一定時間が過ぎればオーバーライトされて消去される。このように、メモリ２１１には、視聴者が実際に視聴した番組が何であるかを特定するための番組識別情報が格納されることとなる。なお、ヘッダ情報は分離部２０６より制御部２０４にも供給される。
【００２０】
また、図３に示す受信装置２００は、モデム２１２を有している。このモデム２１２は、制御部２０４に接続されると共に、電話回線網を介して放送局や視聴率調査会社に接続される。放送局や視聴率調査会社よりモデム２１２を介して番組識別情報の要求があるとき、制御部２０４はメモリ２１１に記憶されている番組識別情報を読み出してモデム２１２を介して放送局や視聴率調査会社に送信する。
【００２１】
以上の構成において、視聴者のキー操作部２０５の操作に基づき、制御部２０４の制御によってチューナ２０３で選局が行われ、このチューナ２０３より選局された放送信号に係るビットストリーム信号が出力されて分離部２０６に供給される。そして、視聴者のキー操作部２０５の操作に基づき、制御部２０４の制御によって分離部２０３ではビットストリーム信号より所定スロットのパケットが分離されると共に、そのパケットよりパケットデータ及びパケットヘッダが分離される。
【００２２】
分離部２０６で分離された所定スロットのパケットを構成するパケットデータは復号部２０７に順次供給されて復号化処理が行われ、映像信号ＳＶ及び音声信号ＳＡが得られる。そして、映像信号ＳＶがモニタディスプレイ２０８に供給されて画像が表示されると共に、音声信号ＳＡがアンプ２０９で増幅されてスピーカ２１０に供給されて音声が出力される。
【００２３】
また、分離部２０６で分離された所定スロットのパケットを構成するパケットヘッダに含まれる情報のうち番組識別情報が抜き出されてメモリ２１１に一時的に記憶される。放送局や視聴率調査会社よりモデム２１２を介して番組識別情報が要求されるとき、メモリ２１１に記憶されている番組識別情報がモデム２１２を介して放送局や視聴率調査会社に送信される。これにより、放送局では放送した番組を実際に視聴したかどうかのチェックを容易に行うことができ、例えば番組単位あるいは時間単位等、きめ細かい視聴料金を計算できる。また、視聴率調査会社では、ある一定期間内の番組識別情報の集計を行って正確な視聴率を調査できる。
【００２４】
図４は受信装置２００の他の構成を示している。この図４において、図３と対応する部分には同一符号を付し、その詳細説明は省略する。図４の受信装置２００は、モザイク化処理部２１３を有している。復号部２０７より出力される映像信号ＳＶはモザイク化処理部２１３を介してモニタディスプレイ２０８に供給される。
【００２５】
モザイク化処理部２１３の動作は制御部２０４によって制御される。この場合、制御部２０４に供給されるヘッダ情報にモザイク化処理を施すべき領域範囲や時間範囲の加工範囲情報が含まれるとき、モザイク化処理部２１３ではその領域範囲及び時間範囲でモザイク化処理が行われる。上述せずも、領域範囲の情報は、図５に示すように、例えば矩形領域Ｌの開始位置の座標（ｘ，ｙ）と、その矩形領域Ｌの水平方向の大きさＸと、垂直方向の大きさＹの情報で構成される。視聴者は、キー操作部２０５の操作でもって、モザイクの細かさのレベル（以下、「モザイクレベル」という）を設定できるようにされる。メモリ２１１には、図３に示す受信装置２００と同様に、番組識別情報が記憶される他に、対応してモザイクレベルの情報も記憶される。
【００２６】
このように本例においては、番組にモザイク化処理パケットヘッダには、さらに番組にモザイク化処理の対象部分が含まれるときは、モザイク化処理部２１３でもって所定の領域範囲や時間範囲でもってモザイク化処理が行われ、モニタディスプレイ２０８にはモザイク化処理された画像が表示される。この場合、視聴者はキー操作部２０５の操作でモザイクレベルを設定でき、任意のモザイクレベルでもって番組を視聴できる。また、放送局よりモデム２１２を介して番組識別情報が要求されるとき、メモリ２１１に記憶されている番組識別情報及びモザイクレベルの情報がモデム２１２を介して放送局や視聴率調査会社に送信される。これにより、放送局ではモザイクレベルに応じた課金を行うことができる。
【００２７】
なお、図４に示す受信装置２００では、加工処理としてモザイク化処理の例を挙げたものであるが、その他の加工処理を適用することもできる。また、図３及び図４の受信装置２００では、メモリ２１１に記憶された番組識別情報等はモデム２１２を介して放送局等に送信されるものを示したが、これらの情報をメモリカードに記憶させておき、放送局等がメモリカードを回収できるようにしてもよい。
【産業上の利用可能性】
【００２８】
この発明は、視聴率の調査や課金を正確に行うことができ、例えばＩＳＤＢシステム等の放送システムに適用できる。
【図面の簡単な説明】
【００２９】
【図１】送信装置の構成を示すブロック図である。
【図２】パケットを説明するための図である。
【図３】受信装置の構成を示すブロック図である。
【図４】受信装置の他の構成を示すブロック図である。
【図５】領域範囲の情報を説明するための図である。
【符号の説明】
【００３０】
１００・・・送信装置、１０１-1〜１０１-n・・・符号器、１０２・・・ヘッダ情報発生部、１０３，２０４・・・制御部、１０４-1〜１０４-n・・・パケットエンコーダ、１０５・・・多重化部、１０６・・・ディジタル変調回路、２００・・・受信装置、２０３・・・チューナ、２０５・・・キー操作部、２０６・・・分離部、２０７・・・復号部、２０８・・・モニタディスプレイ、２１０・・・スピーカ、２１１・・・メモリ、２１２・・・モデム、２１３・・・モザイク化処理部
【図１】
2006148960.tif 000003
【図２】
2006148960.tif 000004
【図３】
2006148960.tif 000005
【図４】
2006148960.tif 000006
【図５】
2006148960.tif 000007